(57)【要約】ＬＥＤを駆動するＰＷＭパルスのピーク駆動電流に対するこのＬＥＤのピーク光出力に関連する定数を決定し、この定数をこのＰＷＭパルスの平均電流に乗算してこのＬＥＤに対する平均光出力の値を得ることにより、ＬＥＤアレイを制御する。定数は、ＬＥＤのピーク光出力とこのＬＥＤを駆動するＰＷＭパルスのピーク電流とを同時に測定することにより決定しうる。この場合、ピーク光出力をＰＷＭパルスのピーク電流で割ることにより計算しうる。ＰＷＭパルスがその完全値に達しているこのＰＷＭパルスの持続時間中の時点で、上述した同時測定を行なうことにより、このＰＷＭパルスの立上り及び立下り時間が測定に影響を及ぼさない。ＰＷＭパルスの平均電流は、ＰＷＭパルスの電流を時間に亙って積分する方法や、ＰＷＭパルスの電流の平均値を生じるように構成した低域通過フィルタにＰＷＭパルスの電流を通す方法を含む種々の方法により決定しうる。このようにして平均電流を決定することにより、ＬＥＤの平均光出力の決定に及ぼす立上り及び立下り時間の影響を更に低減させる。
2005505940.tif 000002
【特許請求の範囲】
【請求項１】
ピーク光出力を有する発光ダイオードの平均光出力を決定する装置であって、発光ダイオードはピーク電流及び平均電流を有するパルス幅変調パルスにより駆動されるようになっており、この装置は、発光ダイオードのピーク光出力とパルス幅変調パルスのピーク電流とに関連する定数を決定する手段と、この定数をパルス幅変調パルスの平均電流に乗算する手段とを有する発光ダイオード平均出力決定装置。
【請求項２】
請求項１に記載の発光ダイオード平均出力決定装置において、定数を決定する前記手段が、発光ダイオードのピーク光出力とパルス幅変調パルスのピーク電流とを同時に測定する手段と、前記ピーク光出力を前記ピーク電流で割ることにより前記定数を決定する手段とを有している発光ダイオード平均出力決定装置。
【請求項３】
請求項１に記載の発光ダイオード平均出力決定装置において、ピーク光出力を各々が有する第１及び第２発光ダイオードを、ピーク電流及び平均電流を各々が有する第１及び第２パルス幅変調パルスによりそれぞれ駆動した際の、第１及び第２発光ダイオードのうち第１発光ダイオードの平均光出力を決定するために、この発光ダイオード平均出力決定装置が、第１パルス幅変調パルスのピーク電流に対する第１発光ダイオードのピーク光出力に関連する第１発光ダイオードの定数を決定する手段と、この第１発光ダイオードの定数を第１パルス幅変調パルスの平均電流に乗算する手段とを有している発光ダイオード平均出力決定装置。
【請求項４】
請求項３に記載の発光ダイオード平均出力決定装置において、第１発光ダイオードの定数を決定する前記手段が、第１発光ダイオードのピーク光出力と第１パルス幅変調パルスのピーク電流とを同時に測定する手段と、第１発光ダイオードのピーク光出力を第１パルス幅変調パルスのピーク電流で割ることにより第１発光ダイオードの定数を計算する手段とを有している発光ダイオード平均出力決定装置。
【請求項５】
請求項４に記載の発光ダイオード平均出力決定装置において、第１及び第２パルス幅変調パルスが時間の関数として部分的に重複するようにし、第１及び第２発光ダイオードのピーク光出力を単一の光センサにより測定するようにし、この発光ダイオード平均出力決定装置が更に、
第１及び第２パルス幅変調パルスが時間の関数として重複していない時点で、第１及び第２発光ダイオードのうち一方の発光ダイオードのピーク光出力と第１及び第２パルス幅変調パルスのうち前記一方の発光ダイオードを駆動する一方のパルス幅変調パルスのピーク電流とを同時に測定する手段と、
第１及び第２パルス幅変調パルスが時間の関数として重複している時点で、第１及び第２発光ダイオードの双方のピーク光出力と第１及び第２パルス幅変調パルスのうち他方のパルス幅変調パルスのピーク電流とを同時に測定する手段と、
第１及び第２パルス幅変調パルスが重複していない時点での第１及び第２発光ダイオードの一方に対し測定したピーク光出力を、第１及び第２パルス幅変調パルスが重複している時点で測定した第１及び第２発光ダイオードの合成ピーク光出力から減算することにより、第１及び第２発光ダイオードの他方のピーク光出力を決定する手段と
を具えている発光ダイオード平均出力決定装置。
【請求項６】
請求項５に記載の発光ダイオード平均出力決定装置において、この発光ダイオード平均出力決定装置が更に、第１及び第２発光ダイオードの合成ピーク光出力を測定するのと同時に第２パルス幅変調パルスのピーク電流を測定することにより第２発光ダイオードの定数を決定する手段と、第２発光ダイオードのピーク光出力を第２パルス幅変調パルスのピーク電流で割る手段とを具えている発光ダイオード平均出力決定装置。
【請求項７】
請求項３又は５に記載の発光ダイオード平均出力決定装置において、第１、第２及び第３パルス幅変調パルスが時間の関数として互いに部分的に重複しており、第１、第２及び第３発光ダイオードのピーク光出力を単一の光センサにより測定する場合で、各々がピーク電流及び平均電流を有する第１、第２及び第３パルス幅変調パルスにより第１、第２及び第３発光ダイオードをそれぞれ駆動した際に、ピーク光出力を有する第３発光ダイオードの平均光出力を決定するようになっており、この発光ダイオード平均出力決定装置が更に、第３パルス幅変調パルスのピーク電流に対する第３発光ダイオードのピーク光出力に関連する第３発光ダイオードの定数を決定する手段と、この第３発光ダイオードの定数を第３パルス幅変調パルスの平均電流に乗算する手段とを具えている発光ダイオード平均出力決定装置。
【請求項８】
請求項７に記載の発光ダイオード平均出力決定装置において、この発光ダイオード平均出力決定装置が更に、第１、第２及び第３パルス幅変調パルスが時間の関数として重複していない時点で第３発光ダイオードのピーク光出力と第３パルス幅変調パルスのピーク電流とを同時に測定することにより第３発光ダイオードの定数を決定する手段と、第３発光ダイオードのピーク光出力を第３パルス幅変調パルスのピーク電流で割る手段とを具えている発光ダイオード平均出力決定装置。
【請求項９】
請求項１、２、５又は７に記載の発光ダイオード平均出力決定装置において、この発光ダイオード平均出力決定装置が更に、第１パルス幅変調パルス、第２パルス幅変調パルス及び第３パルス幅変調パルスのそれぞれのパルス幅変調パルスの電流を時間に亙って積分することにより、第１パルス幅変調パルス、第２パルス幅変調パルス及び第３パルス幅変調パルスにおける少なくとも１つのパルス幅変調パルス電流群の電流平均値を決定する手段を具えている発光ダイオード平均出力決定装置。
【請求項１０】
請求項９に記載の発光ダイオード平均出力決定装置において、この発光ダイオード平均出力決定装置が更に、前記定数と、第１パルス幅変調パルス、第２パルス幅変調パルス及び第３パルス幅変調パルスのそれぞれのパルス幅変調パルスの電流平均値とを乗算する手段を具えている発光ダイオード平均出力決定装置。
【請求項１１】
ピーク電流及び平均電流を有するパルス幅変調パルスにより駆動され、ピーク光出力を有する発光ダイオードの平均光出力を決定するための、請求項１に記載の発光ダイオード平均出力決定装置に用いるコンピュータ可読媒体上の符号であって、この符号が、発光ダイオードのピーク光出力とパルス幅変調パルスのピーク電流とに関連する定数を決定する命令と、この定数をパルス幅変調パルスの平均電流に乗算する命令とを有している符号。
【発明の詳細な説明】
【技術分野】
【０００１】
本発明は、例えば、ディスプレイや照明装置に用いられるような発光ダイオード（ＬＥＤ）アレイの光出力を制御することに関するものであり、特に、パルス幅変調（ＰＷＭ）パルスの形態で与えられる駆動電流を有するＬＥＤディスプレイを制御することに関するものである。
【０００２】
赤、緑及び青の発光ダイオードのアレイ（ＲＧＢ‐ＬＥＤアレイ）の合成出力から光の表示を発生させる場合、個々の発光ダイオードからの光出力の強度を厳密にモニタリング及び制御してこのアレイから所望の合成光出力を得るようにする必要がある。ＬＣＤモニタのようなこのようなアレイの種々の適用分野では、ＰＷＭ電流パルスでアレイを駆動するのが好ましい。ＰＷＭパルスの形状、持続時間及び周波数を制御することにより、個々のＬＥＤの光出力を厳密に制御しうる。
【０００３】
従来の制御システムでは、平均光強度の直接測定を利用し、ある場合には、ＲＧＢ‐ＬＥＤアレイの光出力を制御するためにＬＥＤに供給される順方向駆動電流の測定を利用することも試みられている。個々の光出力を測定することの困難性や、ＰＷＭパルスの開始及び終了端における立上り及び立下り時間やリップル電流を対処することにより生じる電流測定の不正確さにより、このような従来の制御システムの有効性を制限している。
【０００４】
本発明は、ＬＥＤを駆動するＰＷＭパルスのピーク電流に対するＬＥＤのピーク光出力に関連する定数を決定し、この定数をＰＷＭパルスの平均電流に乗算してＬＥＤの平均光出力に対する値を得ることによりＬＥＤアレイの制御を改善するものである。
【０００５】
本発明の一形態では、ＬＥＤのピーク光出力と、このＬＥＤを駆動するＰＷＭパルスのピーク電流とを同時に測定することにより定数を決定する。この場合、ピーク光出力をＰＷＭパルスのピーク電流により割る（除算する）ことにより定数を計算する。ＰＷＭパルスがその完全値に達しているこの持続時間中の時点で同時測定を行なうことにより、このＰＷＭパルスの立上り及び立下り時間がこの測定に影響を及ぼさない。
【０００６】
ＰＷＭパルスの平均電流の決定は、種々の方法で達成しうる。本発明の一形態では、ＰＷＭパルスの電流を時間に亙って積分することによりこのＰＷＭパルスの平均電流を決定する。このように平均電流を決定することにより、立上り及び立下り時間がＬＥＤの平均光出力の決定に及ぼす影響を更に低域させる。或いはまた、ＰＷＭパルスの電流を検出し、センサの出力を低域通過フィルタに通すことにより、又は平均電流信号を生じるように構成した積分器により平均電流を決定することができる。
【０００７】
時間の関数として部分的に重複するＰＷＭパルスにより駆動される２つの個別のカラーＬＥＤと、これらＬＥＤの光出力を測定する単一のセンサとを有するアレイの場合、これらＰＷＭパルスが重複していない時点で、これらＬＥＤのうち一方のＬＥＤのピーク光出力と、この一方のＬＥＤを駆動する一方のＰＷＭパルスの電流とを同時に測定し、ＰＷＭパルスが重複している時点で、双方のＬＥＤの合成ピーク光出力と、他方のＬＥＤを駆動するＰＷＭパルスのピーク電流とを同時に測定し、前記一方のＬＥＤの光出力の測定値を双方のＬＥＤの合成光出力から減算することにより前記他方のＬＥＤのピーク光出力を決定することにより、本発明を実現しうる。この場合、各ＰＷＭパルスのピーク電流に対するそれぞれの対応するＬＥＤのピーク光出力に関連する定数は、各ＬＥＤのピーク光出力をその対応するピーク電流で割ることにより計算しうる。２つよりも多い個別のカラーＬＥＤを有するアレイにおいても、同じ方法を用いて本発明を実施しうる。
【０００８】
所定の適用分野に対し望ましい精度を得るには、平均光出力を決定する繰返しレートを所望の回数にすることができる。複数のＬＥＤと、単一の又は複数の光センサとを有する適用分野の場合、本発明においては、定数及び平均電流を決定するのに必要とする測定及び種々の測定の処理を調整するマルチプレクシングハードウェア又はソフトウェアを用いる。本発明のある形態では、測定のための繰返しレートを、ＬＥＤの温度、又はＬＥＤに取付けるヒートシンクのような測定可能なパラメータの関数として決定しうる。
【０００９】
本発明は、方法として実施でき、装置に構成でき、コンピュータ可読媒体上の符号に構成できる。
【００１０】
本発明の上述した特徴及びその他の特徴は、添付図面に関する代表的な実施例の以下の詳細な説明から更に明らかとなるであろう。以下の詳細な説明及び図面は本発明を限定するものでない、単なる例示にすぎないものであり、本発明の範囲は特許請求の範囲及びその等価な構成により規定される。
【００１１】
図１は、本発明を適用しうる種類の代表的な白色光投射システムにおいて各発光ダイオード（ＬＥＤ）を駆動するパルス幅変調（ＰＷＭ）パルスに対する、赤、緑及び青発光ダイオード（ＲＧＢ  ＬＥＤ）のアレイの光出力の関係を示す信号線図である。実用的な目的のために、ＬＥＤの光出力は、ＬＥＤを駆動する電流に正比例させることに注意すべきである。更に、本発明の説明及び理解を容易にするために、図示のＰＷＭパルスでは、本発明の実際のいかなる適用においても生じるおそれのある立上り時間及び立下り時間の影響に対するこれらパルスの前縁及び後縁におけるいかなるリップル又は歪をも示していないことに注意すべきである。当業者は、リップルや立上り及び立下り時間の影響が存在する場合でも、本発明が以下に説明するように動作する独特の能力を提供するということを認識するであろう。
【００１２】
赤、緑及び青ＬＥＤを駆動する図１のＰＷＭパルス持続時間を、それぞれＤR 、ＤG 、ＤB で示し、平均電流をそれぞれＩR-av、ＩG-av、ＩB-avとして示す。ＰＷＭ周期中、ＰＷＭパルスの持続時間ＤR 、ＤG 、ＤB はＰＷＭ周期の一部の間、時間の関数として重複する。この重複の結果として、３つの全てのＬＥＤの光出力を受けるように配向された単一の光センサにより緑ＬＥＤの光出力を直接測定しうる時間を、ＰＷＭ周期中で見いだすことができない。
【００１３】
図２は、ピーク電流及び平均電流を有するＰＷＭパルスによりＬＥＤを駆動した際の、ピーク光出力を有するＬＥＤの平均光出力を決定する為に、本発明による装置及び符号により実行する方法１０を示す。この方法は、ＬＥＤのピーク光出力及びＰＷＭパルスのピーク電流に関連する定数を決定する工程１２と、この定数をＰＷＭパルスの平均電流に乗算してＬＥＤの平均光出力を得る工程１４とを有する。
【００１４】
定数は、ＬＥＤのピーク光出力とＰＷＭパルスのピーク電流とを同時に測定する工程１６と、ＬＥＤのピーク光出力をＰＷＭパルスのピーク電流で割ることにより定数を計算する工程１８とにより計算しうる。このことを図１において、サンプリングパルス１Ａと、“電流パルス”及び“ホトセンサの出力”を付した曲線上に×印１Ａで示す関連点とで表わしてある。ピーク光出力とピーク電流との同時測定は、パルスが完全に生成されて立上り及び立下り時間の影響が存在しないＰＷＭパルスの持続時間ＤR 中の点で行なうのが好ましい。
【００１５】
ＰＷＭパルスの平均電流の決定工程２０は種々の方法により達成しうる。例えば、ＰＷＭパルスの平均電流（工程２０）はＰＷＭパルス全体を時間の関数としてモニタリングして積分することにより決定しうる。この工程は、高速のアナログ‐デジタル変換器を用いて電流をサンプリングし、サンプルを図４に示すようなコンピュータ又はマイクロプロセッサにおいて時間の関数として平均化し、図１に破線で示すような平均電流信号を生ぜしめることにより達成しうる。或いはまた、図５に示すように、ＰＷＭパルスの電流を検出し、これを低域通過フィルタ８６に、又は図１に破線で示すような平均電流を生じるように構成した積分器に通すようにすることができる。特許請求の範囲内で本発明によりＰＷＭパルスの平均電流を決定するには、当業者にとって既知の他の方法を用いることもできる。
【００１６】
上述した方法は、サンプリングパルス３Ａ及び３Ｂと関連点の×印３Ａ及び３Ｂとを用いることにより、すなわち、パルスが完全に生成されて立上り及び立下り時間の影響が存在せず、青ＬＥＤを駆動するＰＷＭパルスが赤又は緑ＬＥＤを駆動するＰＷＭパルスと重複しないＰＷＭパルスの持続時間ＤB 中の点で同時測定を行なうとともに平均電流を決定することにより、図１の青ＬＥＤの平均光出力を決定するのにも実施しうる。
【００１７】
図３は、第１及び第２ＬＥＤを、時間の関数として部分的に重複する第１及び第２ＰＷＭパルスによりそれぞれ駆動し、これら第１及び第２ＬＥＤの合成光出力を受ける単一の光センサにより第１及び第２ＬＥＤの光出力を測定することにより、ピーク光出力をそれぞれ有する第１及び第２ＬＥＤの光出力を決定する方法３０を示す。この方法は、緑ＬＥＤを駆動するＰＷＭパルスが常に、赤及び青ＬＥＤを駆動するＰＷＭパルスの何れか又は双方と重複している、図１の緑ＬＥＤのピーク及び平均光出力を決定するのに用いることができる。
【００１８】
図１において、第１ＬＥＤを赤ＬＥＤとし、第２ＬＥＤを緑ＬＥＤとする。上述した方法３０は、第１及び第２（赤及び緑）ＰＷＭパルスが時間の関数として重複していない時点（サンプリングパルス１Ａ及び関連点の×印１Ａ）での第１及び第２（赤及び緑）ＬＥＤのうちの１つのピーク光出力と、この１つのＬＥＤを駆動するＰＷＭパルスのピーク電流とを同時に測定する工程３２を有する。この方法３０は更に、第１及び第２（赤及び緑）ＬＥＤを駆動するＰＷＭパルスが重複している期間中の点（サンプリングパルス２Ａ及び関連点の×印２Ａ）での第１及び第２（赤及び緑）ＬＥＤの合成ピーク光出力と、第２（緑）ＬＥＤを駆動するＰＷＭパルスのピーク電流とを同時に測定する工程３４をも有する。第２（緑）ＬＥＤのピーク光出力は、ＰＷＭパルスが重複していない期間中に測定した第１（赤）ＬＥＤのピーク光出力を、第１及び第２（赤及び緑）ＬＥＤを駆動するＰＷＭパルスが重複している期間中に測定した第１及び第２（赤及び緑）ＬＥＤの合成ピーク光出力から減算する工程３６により得られる。
【００１９】
第１及び第２（赤及び緑）ＬＥＤのピーク光出力と、これらＬＥＤを駆動するＰＷＭパルスのピーク電流とが一旦分ると、ピーク光出力をピーク電流で割ることにより、第１及び第２ＬＥＤのピーク光出力及びピーク電流に関する定数を計算しうる（工程３８及び４０）。次に、各ＬＥＤを駆動するパルスの平均電流を前述したように決定でき（工程４２及び４４）、各ＬＥＤに対する定数に当該ＬＥＤを駆動するＰＷＭパルスの平均電流を乗算することにより、ＬＥＤの平均光出力を決定しうる（工程４６及び４８）。
【００２０】
時間の関数として部分的に重複するＰＷＭパルスにより駆動される２つよりも多いＬＥＤを有するアレイの平均光出力を決定するのにも、上述した及び図１〜３に示す方法を用いることができること、当業者にとって明らかである。
【００２１】
図４及び５は、ピーク電流及び平均電流を有するＰＷＭパルスによりＬＥＤを駆動した際の、ピーク光出力を有するＬＥＤの平均光出力を決定する本発明による装置５０の代表的な実施例の種々の構成を示す。装置５０は、ヒートシンク６２上に装着された赤ＬＥＤ５６、緑ＬＥＤ５８及び青ＬＥＤ６０を有するＲＧＢ‐ＬＥＤアレイを駆動する電源５４を有する白色光源５２に適用してある。ＬＥＤ５６、５８及び６０は、これらＬＥＤを駆動するＰＷＭ電流パルスを生じるＬＥＤドライバ６４により電源５４に結合されている。
【００２２】
この装置５０は、ホトダイオード６８、電流センサ７０及び信号処理装置７２の形態の手段を有し、信号処理装置７２は信号をマイクロプロセッサ７４に供給し、各ＬＥＤを駆動するＰＷＭパルスのピーク電流に対する各ＬＥＤのピーク光出力に関連する、各ＬＥＤに対する定数を決定する。電流センサ７０及びホトダイオード６８は、ＬＥＤ５６、５８及び６０のうちの１つ以上のピーク光出力と光を生ぜしめるＰＷＭパルスのピーク電流とを同時に測定するように構成する。マイクロプロセッサ７４は、ＬＥＤ５６、５８及び６０のうちの１つの測定されたピーク光出力を、このピーク光出力と同時に測定されたこのＬＥＤに対するピーク電流で割ることにより定数を決定する。
【００２３】
マイクロプロセッサ７４は、ＰＷＭパルスの平均電流を決定するとともに、ＲＧＢ‐ＬＥＤアレイを駆動するＰＷＭパルスの平均電流にそれぞれの定数を乗算する手段をも提供する。ＰＷＭパルスの平均電流は、電流センサ７０によりＰＷＭパルスをモニタリングし電流を時間に亙って積分することにより計算しうる。電流センサ７０及びマイクロプロセッサ７４は、ＰＷＭパルスの電流をこのパルスの短い期間に亙ってサンプリングするとともに、マイクロプロセッサ７４のメモリ７６に記憶されたＰＷＭパルスの持続時間及び繰返しレートに関する情報を用いて平均電流値の補外計算を行なうのにも用いることができる。
【００２４】
図５は、ＰＷＭパルスの電流を検出し、この検出した電流を、図１に破線で示すような平均電流信号を生じるように構成した低域通過フィルタ８６に通す本発明の形態を示す。
【００２５】
メモリ７６及びマイクロプロセッサ７４は、定数の計算を更に容易にするように構成することもできる。マイクロプロセッサ７４には、白色光源５２の所望の光出力及び性能を得るのに必要とする方法でＰＷＭパルスを調整するようにＬＥＤドライバに制御信号を供給するコントローラ７８を含めることもできる。
【００２６】
装置５０には、光源５２の所望の性能を得るのに、この装置がどのくらいの頻度でＬＥＤの平均光出力を測定し、ＰＷＭ信号を調整する必要があるかを決定するのに温度センサ８０を設けることもできる。ＰＷＭ信号周期毎にＬＥＤの平均光出力を決定するには、確かに、上述した装置５０及び方法１０、３０を用いることができるが、必ずしも平均光出力を上述した頻度で決定する必要も、望ましいこともない。このようにせずに、ある予め決定したタイミング毎に平均光出力を周期的に決定するように、マイクロプロセッサ７４をプログラミングするか、又はヒートシンク温度のようなモニタリングしたパラメータが予め決定した動作範囲外になった際に、メモリ７６に記憶させたパラメータに応じて平均光出力を決定してＰＷＭパルスを調整するように、マイクロプロセッサ７４をプログラミングするのが望ましいものである。
【００２７】
図５は、装置５０の信号処理装置７２が、ホトダイオード６８及び温度センサ８０用の増幅器兼信号調整器８２を有しうるということを示している。マイクロプロセッサ７４は、本発明を実行するのに必要とする同時測定を取入れるのにアナログ‐デジタル変換器（ＡＤＣ）８８とマルチプレクサ９０とをも有しうる。
【００２８】
本発明は、ピーク電流及び平均電流を有するＰＷＭパルスにより駆動した際に、ピーク光出力を有するＬＥＤの平均光出力を決定する命令を有する、本発明による装置に用いるべきコンピュータ可読媒体上の符号の形態をとることもできる。この符号には、ＬＥＤのピーク光出力及びＰＷＭパルスのピーク電流に関連する定数を決定する命令と、ＰＷＭパルスの平均電流に定数を乗算する命令とを含めることができる。
【００２９】
定数を決定する命令には、ＬＥＤのピーク光出力とＰＷＭパルスのピーク電流とを同時に測定する命令と、ピーク光出力をピーク電流で割ることにより定数を計算する命令とを含めることができる。
【００３０】
符号には更に、ＰＷＭパルスの電流の平均値を決定する命令を含めることができる。これらの命令には、ＰＷＭパルスの電流を時間に亙って積分するか、或いはまた、ＰＷＭパルスの電流を検出し、この検出した電流を、ＰＷＭパルスの電流の平均値を生じるように構成した低域通過フィルタに通すことにより平均電流を決定する命令を含めることができる。
【００３１】
符号には、第１ＰＷＭパルスのピーク電流に対する第１ＬＥＤのピーク光出力に関連する第１定数を決定し、この第１定数を第１ＰＷＭパルスの平均電流に乗算することにより、各々がピーク電流及び平均電流を有する第１及び第２ＰＷＭパルスにより第１及び第２ＬＥＤをそれぞれ駆動した際に、それぞれピーク光出力を有する第１ＬＥＤ及び第２ＬＥＤの平均光出力を決定する命令を含めることもできる。これらＰＷＭパルスが時間の関数として重複していない場合には、第２ＬＥＤの平均光出力は、第２ＬＥＤを駆動するピーク電流に対するピーク光出力に関連する定数を決定し、この第２ＬＥＤ定数と第２ＬＥＤを駆動するＰＷＭパルスの平均電流とを乗算することにより計算される。
【００３２】
第１及び第２ＬＥＤを駆動する第１及び第２ＰＷＭパルスが時間の関数として重複しており、第１及び第２ＬＥＤの合成ピーク光出力が単一の光センサで測定される場合には、符号には、第１及び第２ＰＷＭパルスが重複していない時点で、第１及び第２ＬＥＤのうち一方のＬＥＤのピーク光出力と、第１及び第２ＰＷＭパルスのうち前記一方のＬＥＤを駆動する一方のパルスのピーク電流とを同時に測定する命令を含めることができる。又、符号には、第１及び第２ＰＷＭパルスが時間の関数として重複している時点で第１及び第２ＬＥＤの双方からのピーク光出力と、第１及び第２ＰＷＭパルスのうち他方を駆動するピーク電流とを同時に測定する命令を含めることもできる。符号には更に、第１及び第２ＰＷＭパルスが重複していない時点での第１及び第２ＬＥＤの一方に対し測定したピーク光出力を、第１及び第２ＰＷＭパルスが重複している時点で測定した第１及び第２ＬＥＤの合成ピーク光出力から減算することにより、第１及び第２ＬＥＤの他方のピーク光出力を決定する命令を含めることができる。
【００３３】
符号には更に、前記第２ＰＷＭパルスの電流の平均値を決定する命令を含めることができる。これらの命令には、第２ＰＷＭパルスの電流を時間に亙って積分するか、或いはまた、第２ＰＷＭパルスの電流を検出し、この検出した電流を、第２ＰＷＭパルスの平均電流値を生じる低域通過フィルタに通すことにより平均電流を決定する命令を含めることができる。
【００３４】
符号には更に、第１、第２及び第３ＰＷＭパルスが時間の関数として互いに部分的に重複しており、第１、第２及び第３ＬＥＤのピーク光出力を単一の光センサにより測定する場合で、各々がピーク電流及び平均電流を有する第１、第２及び第３ＰＷＭパルスにより第１、第２及び第３ＬＥＤをそれぞれ駆動した際に、ピーク光出力を有する第３ＬＥＤの平均光出力を決定する命令を含めることができる。符号には、第３ＰＷＭパルスのピーク電流に対する第３ＬＥＤのピーク光出力に関連する第３ＬＥＤの定数を決定する命令と、この第３ＬＥＤの定数を第３ＰＷＭパルスの平均電流に乗算する命令とを含めることができる。符号には更に、第１、第２及び第３ＰＷＭパルスが時間の関数として重複していない時点で第３ＬＥＤのピーク光出力と第３ＰＷＭパルスのピーク電流とを同時に測定することにより第３ＬＥＤの定数を決定する命令と、第３ＬＥＤのピーク光出力を第３ＰＷＭパルスのピーク電流で割る命令とを含めることができる。
【００３５】
符号には更に、前記第３ＰＷＭパルスの電流の平均値を決定する命令を含めることができる。これらの命令には、第３ＰＷＭパルスの電流を時間に亙って積分するか、或いはまた、第３ＰＷＭパルスの電流を検出し、この検出した電流を、第３ＰＷＭパルスの平均電流値を生じる低域通過フィルタに通すことにより平均電流を決定する命令を含めることができる。
【００３６】
符号には更に、第３ＬＥＤの定数と第３ＰＷＭパルスの電流の平均値とを乗算する命令を含めることができる。符号には、３つよりも多いＬＥＤを有する光源及び部分的に重複するＰＷＭパルス列の他の組合せに対し本発明を実施する命令を含めることができることは、当業者にとって容易に認識しうることである。
【００３７】
本発明を幾つかの代表的な実施例につき上述したが、本発明の範囲を逸脱することのない多くの変形例が可能である。例えば、前述した“単一の光センサ”という用語は、１つのユニットを構成するように数個の光センサを互いに関連させて用いる構成をも含んで用いているものである。又、上述した用語ＬＥＤも、１つのユニットとして機能するＬＥＤアレイを含むものである。
【００３８】
本発明の範囲は特許請求の範囲のみにより制限されるものであり、上述した実施例と等価な範囲に入るあらゆる変形も本発明に包含されるものである。
【図面の簡単な説明】
【００３９】
【図１】ＰＷＭ電流パルスにより駆動されるＲＧＢ‐ＬＥＤアレイの関係を示す本発明による信号線図である。
【図２】ＬＥＤの平均光出力を決定する本発明による方法を示すフローチャートである。
【図３】ＬＥＤアレイの第１ＬＥＤ及び第２ＬＥＤの平均光出力を決定する本発明による方法を示すフローチャートである。
【図４】ＬＥＤの平均光出力を決定する本発明による代表的な装置を示す回路線図である。
【図５】図４に示す装置を更に詳細に示す回路線図である。
【図１】
2005505940.tif 000003
【図２】
2005505940.tif 000004
【図３】
2005505940.tif 000005
【図４】
2005505940.tif 000006
【図５】
2005505940.tif 000007
【国際公開パンフレット】
2005505940.tif 000008
2005505940.tif 000009
2005505940.tif 000010
2005505940.tif 000011
2005505940.tif 000012
2005505940.tif 000013
2005505940.tif 000014
2005505940.tif 000015
2005505940.tif 000016
2005505940.tif 000017
2005505940.tif 000018
2005505940.tif 000019
2005505940.tif 000020
2005505940.tif 000021
2005505940.tif 000022
2005505940.tif 000023
2005505940.tif 000024
2005505940.tif 000025
【国際調査報告】
2005505940.tif 000026
2005505940.tif 000027
2005505940.tif 000028